(57)【要約】【課題】異なる色や模様のキャップ側面を有するボトルキャップを覆った際に外観に違いを生じさせ、見た目の面白みを増すことができるボトルキャップカバーを提供すること。【解決手段】ボトル１００に取り付けられたボトルキャップ１０１を覆うカバー本体１０と、ボトルキャップ１０１のキャップ側面１０２を覆うカバー本体１０のカバー側壁部１１を貫通する開口部２０と、カバー本体１０の内部に形成され、ボトルキャップ１０１の差し込み深さを、開口部２０がキャップ側面１０２に対向する深さに規制する突起部３０と、を備える構成とした。【選択図】図３
2019014513.tif 000002
【特許請求の範囲】
【請求項１】
ボトルに取り付けられたボトルキャップを覆うカバー本体と、
前記ボトルキャップの側面を覆う前記カバー本体のカバー側壁部を貫通する開口部と、
前記カバー本体の内部に形成され、前記ボトルキャップの差し込み深さを、前記開口部が前記ボトルキャップの側面に対向する深さに規制する位置決め手段と、
を備えることを特徴とするボトルキャップカバー。
【請求項２】
請求項１に記載されたボトルキャップカバーにおいて、
前記位置決め手段は、前記ボトルキャップの上面を覆う前記カバー本体のカバー天板部の内側から突出した突起部によって構成されている
ことを特徴とするボトルキャップカバー。
【請求項３】
請求項１又は請求項２に記載されたボトルキャップカバーにおいて、
前記カバー本体の内部には、前記カバー側壁部の内側から突出する複数のリブが形成されている
ことを特徴とするボトルキャップカバー。
【請求項４】
請求項３に記載されたボトルキャップカバーにおいて、
前記複数のリブは、前記カバー本体の周方向に均等に配置されている
ことを特徴とするボトルキャップカバー。
【請求項５】
請求項３又は請求項４に記載されたボトルキャップカバーにおいて、
前記複数のリブのリブ先端に囲まれた空間は、前記カバー本体の開放端から奥に向かって次第に狭くなっている
ことを特徴とするボトルキャップカバー。
【請求項６】
請求項１から請求項５のいずれか一項に記載されたボトルキャップカバーにおいて、
前記カバー本体は、外観がキャラクター、動物又は人物の頭部を模している
ことを特徴とするボトルキャップカバー。
【発明の詳細な説明】
【技術分野】
【０００１】
本発明は、ボトルに取り付けられたボトルキャップを覆うボトルキャップカバーに関するものである。
【背景技術】
【０００２】
従来、ボトルに取り付けられたボトルキャップを覆うカバー本体と、このカバー本体の内部に形成されたボトルキャップを収容する収容部と、を有するボトルキャップカバーが知られている（例えば、特許文献１参照）。
【先行技術文献】
【特許文献】
【０００３】
【特許文献１】特開２００５-１３８９０１号公報
【発明の概要】
【発明が解決しようとする課題】
【０００４】
ところで、従来のボトルキャップカバーにあっては、カバー本体をボトルキャップに装着した際、収容部に挿入された部分はカバー本体によって完全に覆われる。そのため、カバー本体に覆われた部分の外観は、当然ながらカバー本体そのものであり、異なる色や模様のボトルキャップを覆ったときにも外観に変化はなく、面白みに欠けるものであった。
【０００５】
本発明は、上記問題に着目してなされたもので、異なる色や模様のキャップ側面を有するボトルキャップを覆った際に外観に違いを生じさせ、見た目の面白みを増すことができるボトルキャップカバーを提供することを目的としている。
【課題を解決するための手段】
【０００６】
上記目的を達成するため、本発明のボトルキャップカバーは、ボトルのボトル口に取り付けられたボトルキャップを覆うカバー本体と、ボトルキャップのキャップ側面を覆うカバー本体のカバー側壁部を貫通する開口部と、カバー本体の内部に形成され、ボトルキャップの差し込み深さを開口部がキャップ側面に対向する深さに規制する位置決め手段と、を備えている。
【発明の効果】
【０００７】
よって、本発明のボトルキャップカバーでは、カバー本体でボトルキャップを覆った際、位置決め手段により、カバー本体に形成された開口部とキャップ側面とが対向するようにボトルキャップの差し込み深さが規制される。これにより、開口部からキャップ側面を目視することができる。また、このとき、開口部の内側の色や模様は、キャップ側面の色や模様に依存して変化する。この結果、異なる色や模様のキャップ側面を有するボトルキャップを覆った際に外観に違いを生じさせ、見た目の面白みを増すことができる。
【図面の簡単な説明】
【０００８】
【図１】実施例１のボトルキャップカバーの装着状態の外観斜視図である。
【図２】実施例１のボトルキャップカバーの内側斜視図である。
【図３】実施例１の装着状態のボトルキャップの一部を破断した斜視図である。
【図４】実施例１のボトルキャップカバーの内側平面図である。
【図５】図４のＡ−Ａ断面図である。
【図６】実施例１のボトルキャップカバーのボトルキャップへの装着前後の状態を示す外観図であり、（ａ）は第１ボトルキャップへの装着前状態を示し、（ｂ）は第１ボトルキャップへの装着状態を示し、（ｃ）は第２ボトルキャップへの装着前状態を示し、（ｄ）は第２ボトルキャップへの装着状態を示す。
【発明を実施するための形態】
【０００９】
以下、本発明のボトルキャップカバーを実施するための形態を、図面に示す実施例１に基づいて説明する。
【００１０】
（実施例１）
［構成］
図１〜図５は、実施例１のボトルキャップカバーを示す図面である。以下、図１〜図５に基づいて、実施例１のボトルキャップカバーの構成を説明する。
【００１１】
実施例１のボトルキャップカバー１は、図１及び図２に示すように、ペットボトル等のボトル１００のボトル口に取り付けられたボトルキャップ１０１を内側に挿入し、このボトルキャップ１０１を覆うカバーである。このボトルキャップカバー１は、カバー本体１０と、開口部２０と、突起部３０（図２参照）と、複数のリブ４０（図２参照）と、を備えている。
【００１２】
カバー本体１０は、例えばポリプロピレンやポリスチレン等の合成樹脂によって形成され、カバー側壁部１１と、カバー天板部１２と、キャップ収容空間１３と、を有している。
カバー側壁部１１は、下方に開放したほぼ円筒形状を呈し、ボトルキャップ１０１のキャップ側面１０２を覆う。このカバー側壁部１１の外周面には、ここでは、開口部２０を眼球の位置にした動物の顔面を模した凹凸模様が形成されている。
カバー天板部１２は、カバー側壁部１１の上端を閉塞し、ボトルキャップ１０１のキャップ上面１０３を覆う。ここでは、カバー本体１０の中心を通る中心軸Ｏを中心にして、上方に向かって膨出湾曲している。さらに、このカバー天板部１２の外表面には、上方に向かって動物の耳を模した一対の突起Ｔが形成されている。
キャップ収容空間１３は、カバー側壁部１１とカバー天板部１２によって囲まれ、下方に開放した空間である。カバー本体１０によってボトルキャップ１０１を覆った際、このキャップ収容空間１３にボトルキャップ１０１が挿入される。
【００１３】
開口部２０は、図３に示すように、カバー本体１０のカバー側壁部１１を貫通した開口である。開口部２０は、突起部３０の下端３２からカバー本体１０の下端縁１４までの間対向する位置に形成されている。そして、この開口部２０を介して、カバー本体１０の外方から、キャップ収容空間１３の内部が目視可能である。なお、この実施例１では、開口部２０は、ほぼ円形状を呈し、近接して二か所設けられている。
【００１４】
突起部３０は、カバー天板部１２の内側面１２ａからキャップ収容空間１３内に鉛直に突出した円筒部材であり、ボトルキャップ１０１のキャップ収容空間１３内への差し込み深さを規制する位置決め手段である。この突起部３０は中空に形成され、内側には、内部を周方向に四等分する補強壁３１が形成されている。
ここで、突起部３０の下端３２からカバー側壁部１１を貫通した開口部２０の下縁２１までの長さＬ１は、キャップ収容空間１３に差し込まれたボトルキャップ１０１のキャップ側面１０２の高さ寸法Ｈ１よりも短い長さに設定されている。これにより、ボトルキャップ１０１の差し込み深さは、開口部２０がキャップ側面１０２に対向する深さに規制される（図３,図５参照）。
【００１５】
複数（実施例１では五個）のリブ４０は、カバー側壁部１１の内側面１１ａから、カバー本体１０の中心位置（中心軸Ｏ）に向かってキャップ収容空間１３内に突出している。ここで、複数のリブ４０は、開口部２０には干渉しない位置であって、カバー本体１０の周方向に均等に配置されている（図４参照）。また、カバー本体１０の中心位置（中心軸Ｏ）から、各リブ４０のリブ先端４１までの寸法は、ボトルキャップ１０１の半径寸法とほぼ同一の長さに設定されている。
【００１６】
さらに、各リブ４０のリブ先端４１は、カバー天板部１２側が、カバー本体１０の中心位置（中心軸Ｏ）に向かって傾斜している（図５参照）。このため、リブ先端４１によって囲まれたボトルキャップ１０１を差し込み可能な空間は、カバー本体１０の開放端（下端縁１４）から奥（カバー天板部１２）に向かって次第に狭くなっている。
【００１７】
［作用］
図６（ａ）〜（ｄ）は、実施例１のボトルキャップカバーのボトルキャップへの装着前後の状態を示す外観図である。以下、図６に基づき、実施例１のボトルキャップカバーの作用を説明する。
【００１８】
実施例１のボトルキャップカバー１を使用するには、図６（ａ）に示すように、ボトル１００のボトル口に予め取り付けられたボトルキャップ（第１ボトルキャップ１０１α）に対し、カバー本体１０を上方からかぶせる。これにより、キャップ収容空間１３に第１ボトルキャップ１０１αが差し込まれる。ここで、カバー本体１０のカバー天板部１２の内側面１２ａからは、鉛直方向に沿って突起部３０が突出している（図２参照）。
【００１９】
そのため、キャップ収容空間１３に差し込まれた第１ボトルキャップ１０１αは、この突起部３０の下端３２にキャップ上面１０３αが干渉し、差し込み深さが規制される。ここで、この突起部３０の下端３２からカバー本体１０の下端縁１４までの長さＬ１は、開口部２０が第１ボトルキャップ１０１αのキャップ側面１０２αに対向する長さに設定されている。
【００２０】
これにより、開口部２０とキャップ側面１０２αが対向し、図６（ｂ）に示すように、カバー本体１０の外方から、開口部２０を介してキャップ側面１０２αを目視することができる。そのため、開口部２０の内側の色は、第１ボトルキャップ１０１αのキャップ側面１０２αの色になる。
【００２１】
一方、図６（ｃ）及び図６（ｄ）に示すように、図６（ａ）及び図６（ｂ）に示す第１ボトルキャップ１０１αとは少なくともキャップ側面１０２αの色が異なる第２ボトルキャップ１０１βに、実施例１のボトルキャップカバー１を装着する場合を考える。このときにも、キャップ収容空間１３に差し込まれた第２ボトルキャップ１０１βのキャップ上面１０３βが突起部３０の下端３２に干渉し、差し込み深さが規制され、開口部２０と第２ボトルキャップ１０１βのキャップ側面１０２βが対向する。そのため、カバー本体１０の外方から、開口部２０を介してキャップ側面１０２βを目視でき、開口部２０の内側の色が第２ボトルキャップ１０１βの色になる。
【００２２】
このように、カバー本体１０のカバー側壁部１１に開口部２０を設け、カバー本体１０の内部に設けた突起部３０によってボトルキャップ１０１の差し込み深さを規制して、開口部２０とキャップ側面１０２を対向させることで、開口部２０の内側の色を、キャップ側面１０２の色に依存して変化させることができる。そのため、ボトルキャップカバー１の外観を、装着するボトルキャップ１０１のキャップ側面１０２の色によって変えることが可能になり、異なる色や模様のキャップ側面１０２を有するボトルキャップ１０１を覆った際に外観に違いを生じさせ、見た目の面白みを増すことができる。
【００２３】
また、この実施例１では、カバー本体１０のカバー天板部１２の内側面１２ａから突出した突起部３０がボトルキャップ１０１に干渉することで、このボトルキャップ１０１の差し込み深さを規制する。すなわち、この突起部３０が、ボトルキャップ１０１の差し込み深さを、開口部２０がキャップ側面１０２に対向する深さに規制する位置決め手段に相当する。
【００２４】
これにより、カバー天板部１２やカバー側壁部１１の厚みが厚くなりにくく、カバー本体１０にひけが生じることを防止できる。特に、この実施例１では、突起部３０が中空の円筒形状を呈し、内部を周方向に四等分する補強壁３１が内側に形成されている。そのため、突起部２０の強度を保持しつつ、ひけの発生を抑制することができる。また、カバー本体１０の厚みを抑えることで、軽量化を図ることができ、さらにカバー本体１０の形成効率の向上と、材料の削減によるコストダウンを図ることができる。
【００２５】
また、この実施例１では、カバー本体１０の内部に、カバー側壁部１１の内側面１１ａから突出する複数のリブ４０が形成されている。そのため、キャップ収容空間１３にボトルキャップ１０１が差し込まれた際、このボトルキャップ１０１の側面１０２には、図５に示すように、リブ４０のリブ先端４１が接触する。
【００２６】
これにより、リブ４０は、ボトルキャップ１０１によって外方に押圧されて変形し、リブ先端４１とボトルキャップ１０１の側面１０２とが密着する。よって、ボトルキャップ１０１に対するカバー本体１０のがたつきを防止し、このカバー本体１０によりボトルキャップ１０１を安定して覆うことができる。特に、ボトルキャップ１０１の側面１０２に上下方向に延びる凹凸が形成されているときには、リブ先端４１がこの凹凸に引っかかり、ボトルキャップカバー１のずれを防止することができる。
また、複数のリブ４０によってカバー本体１０のカバー側壁部１１を補強することができ、ボトルキャップカバー１の変形を抑制することができる。
【００２７】
さらに、この実施例１では、複数のリブ４０が、カバー本体１０の周方向に均等に配置されている。
【００２８】
これにより、ボトルキャップ１０１に対して、カバー本体１０を傾くことなく容易に被せることができる。すなわち、カバー本体１０の中心軸Ｏと、ボトルキャップ１０１の中心軸（不図示）とを一致させた状態で、カバー本体１０によりボトルキャップ１０１を覆うことができる。
【００２９】
しかも、複数のリブ４０のリブ先端４１に囲まれたボトルキャップ１０１を差し込み可能な空間は、カバー本体１０の開放端（下端縁１４）から奥（カバー天板部１２）に向かって次第に狭くなっている。
そのため、ボトルキャップ１０１をキャップ収容空間１３内に容易に差し込むことができる。また、リブ先端４１はキャップ側面１０２に対して徐々に密着していくので、このキャップ側面１０２とリブ先端４１との隙間が生じにくく、密着度を向上させることができる。よって、カバー本体１０により、さらに安定してボトルキャップ１０１を覆うことができる。
【００３０】
そして、この実施例１では、カバー本体１０のカバー側壁部１１の外周面に、開口部２０を眼球の位置に配置した動物の顔面を模した凹凸模様が形成されている。また、カバー天板部１２から上方に向かって動物の耳を模した一対の突起Ｔが形成されている。そのため、カバー本体１０の外観が、図１に示すように動物の頭部を模したものとなる。
【００３１】
これにより、ボトル１００のボトル口を動物の頭部に見立て、ボトル１００の胴部を動物の胴体に見立てることができ、見た目の面白さをさらに増すことができる。
【００３２】
次に、効果を説明する。
実施例１のボトルキャップカバー１にあっては、下記に列挙する効果を得ることができる。
【００３３】
(1) ボトル１００に取り付けられたボトルキャップ１０１を覆うカバー本体１０と、
前記ボトルキャップ１０１のキャップ側面１０２を覆う前記カバー本体１０のカバー側壁部１１を貫通する開口部２０と、
前記カバー本体１０の内部に形成され、前記ボトルキャップ１０１の差し込み深さを、前記開口部２０が前記キャップ側面１０２に対向する深さに規制する位置決め手段（突起部３０）と、
を備える構成とした。
これにより、異なる色や模様のキャップ側面を有するボトルキャップを覆った際に外観に違いを生じさせ、見た目の面白みを増すことができる。
【００３４】
(2) 前記位置決め手段は、前記ボトルキャップ１０１のキャップ上面１０３を覆う前記カバー本体１０のカバー天板部１２の内側（内側面１２ａ）から突出した突起部３０によって構成されている構成とした。
これにより、(1)の効果に加え、カバー本体１０のひけの発生を抑制しつつ、軽量化を図ることができる。
【００３５】
(3) 前記カバー本体１０の内部には、前記カバー側壁部１１の内側（内側面１１ａ）から突出する複数のリブ４０が形成されている構成とした。
これにより、(1)又は(2)の効果に加え、ボトルキャップ１０１に対するがたつきを防止し、ボトルキャップ１０１を安定して覆うことができる。
【００３６】
(4) 前記複数のリブ４０は、前記カバー本体１０の周方向に均等に配置されている構成とした。
これにより、(3)の効果に加え、ボトルキャップ１０１に対して、傾くことなくカバー本体１０を容易に被せることができる。
【００３７】
(5) 前記複数のリブ４０のリブ先端４１に囲まれた空間は、前記カバー本体１０の開放端（下端１４）から奥（カバー天板部１２）に向かって次第に狭くなる構成とした。
これにより、(3)又は(4)の効果に加え、ボトルキャップ１０１をキャップ収容空間１３内に容易に差し込むことができる上、ボトルキャップ１０１をさらに安定して覆うことができる。
【００３８】
(6) 前記カバー本体１０は、外観が動物の頭部を模している構成とした。
これにより、(1)〜(5)のいずれかの効果に加え、ボトル１００のボトル口を動物の頭部に見立て、ボトル１００の胴部を動物の胴体に見立てることができ、見た目の面白さをさらに増すことができる。
【００３９】
以上、本発明のボトルキャップカバーを実施例１に基づき説明してきたが、具体的な構成については、この実施例に限られるものではなく、特許請求の範囲の各請求項に係る発明の要旨を逸脱しない限り、設計の変更や追加等は許容される。
【００４０】
実施例１のボトルキャップカバー１では、カバー本体１０の外観が動物の頭部を模した例を示したが、これに限らない。例えば、小説や漫画、アニメ、映画、ゲーム等の登場人物や動物等のキャラクターや、実際に存在する或いは存在した人物の頭部を模したものであってもよい。
また、カバー本体１０をキャラクター等の頭部を模したものとする場合、開口部２０を眼球の位置に設定せず、口や耳、その他の頭部構成物の位置に設けてもよい。この場合、開口部２０は、口等を正面から見たときの形状に形成することが好ましい。また、開口部２０の数は限定されず、任意に設定することが可能である。さらに、開口部２０は、カバー本体１０の周方向の任意の位置に設定することが可能であり、例えば頭部を模したカバー本体２０の後頭部側に形成してもよい。
【００４１】
さらに、ボトル１００のカバーや色、形状等を、ボトルキャップカバー１の形状に応じたものにすることで、ボトルキャップカバー１を装着した状態のボトル１００の全体で、動物やキャラクターを模すことができる。これにより、ボトル１００の付加価値をさらに向上させることができる。
【００４２】
なお、本発明のボトルキャップカバー１では、カバー本体１０の外観がキャラクター等の頭部を模したものでなく、単なる円筒状や角柱状であってもよい。この場合であっても、開口部２０の内側の色がキャップ側面１０２に応じて変化することで、外観の変化を楽しむことができる。
【００４３】
また、実施例１のボトルキャップカバー１では、位置決め手段が、カバー天板部１２の内側面１２ａから突出した突起部３０によって構成する例を示したが、これに限らない。例えば、カバー本体１０のカバー側壁部１１に形成した段差によって位置決め手段を構成してもよい。また、カバー天板部１２の内側面１２ａをボトルキャップ１０１のキャップ上面１０３に干渉させることで、位置決め手段としてもよい。
すなわち、カバー本体１０の内部に形成され、ボトルキャップ１０１のキャップ上面１０３に干渉してボトルキャップ１０１の差し込み深さを規制する構成であれば、位置決め手段となる。
【００４４】
また、カバー本体１０の外観は、任意の色を彩色することができる。また、カバー本体１０を形成する樹脂の色そのものであってもよいし、透明であってもよい。
【００４５】
さらに、カバー本体１０のカバー天板部１２に上下方向に貫通する開口を形成し、例えば紐等を挿通可能にしてもよい。
【符号の説明】
【００４６】
１      ボトルキャップカバー
１０    カバー本体
１１    カバー側壁部
１２    カバー天板部
１３    キャップ収容空間
２０    開口部
３０    突起部（位置決め手段）
４０    リブ
４１    リブ先端
【図１】
2019014513.tif 000003
【図２】
2019014513.tif 000004
【図３】
2019014513.tif 000005
【図４】
2019014513.tif 000006
【図５】
2019014513.tif 000007
【図６】
2019014513.tif 000008